【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
カプセルを用いて飲料を調製するためのシステムであって、該システムは、飲料調製装置およびカプセルを備え、
該カプセルは、
好ましくは実質的に剛性のコップ状本体、
該本体を閉じるための蓋、および
作動部材
を備え、
該装置は、
該カプセルを保持するように配設されたカプセルホールダ、
該カプセルが該カプセルホールダ内にあるときに、該カプセルへ流体を供給するように配設された流体供給ユニット、
該カプセルへ供給されるべき該流体のパラメータを制御するように配設された流れ制御ユニット、ここで、該流れ制御ユニットは、少なくとも第１モードおよび第２モードの一つで選択的に操作されるように配設されている、
を備え、
第１モードにおいて、該パラメータは第１レベルへ調節され、かつ第２モードにおいて、該パラメータは該第１レベルとは異なる第２レベルへ調節され、
該流れ制御ユニットは、第１位置と第２位置との間を動きうるスイッチング部材を備え、そして、該カプセルが該カプセルホールダ内にあるときに、該スイッチング部材は、該カプセルの該作動部材によって係合されて、該第１または第２位置に位置付けられるように配設され、
該スイッチング部材が該第１位置にあるときには該流れ制御ユニットが該第１モードにあるように、そして該スイッチング部材が該第２位置にあるときには該流れ制御ユニットが該第２モードにあるように該システムは配設され、
該スイッチング部材は該カプセルホールダの内壁の第１窪み部内に配設され、かつ  
該作動部材は該カプセルの外側輪郭の第２窪み部内に配設されている、
上記システム。
【請求項２】
該パラメータは、
流量、
圧力、
体積、
温度、
該カプセルへ該流体を供給する継続時間、
時間の関数としての該カプセルへ供給されるべき該流体の流量、
時間の関数としての該カプセルへ供給されるべき該流体の圧力、
時間の関数としての該カプセルへ供給されるべき該流体の体積、および
時間の関数としての該カプセルへ供給されるべき該流体の温度、
の内の１以上である、請求項１に記載のシステム。
【請求項３】
該カプセルホールダの内壁は突出部分を備え、かつ該スイッチング部材は前記突出部分に相対的にへこんで置かれている、請求項１または２に記載のシステム。
【請求項４】
該カプセルの外壁は突出部分を備え、そして該作動部材は前記突起部に相対的にへこんだところに置かれている、請求項１または２に記載のシステム。
【請求項５】
該スイッチング部材は、該カプセルホールダの内壁に相対的にへこんで置かれ、かつ該作動部材は該カプセルの外側輪郭に相対的にへこんで置かれている、請求項１〜４のいずれか１項に記載のシステム。
【請求項６】
該カプセルが該カプセルホールダ内にあるとき該カプセルホールダの内壁の該突出部分は、該カプセルの第２窪み部内に延在している、または該カプセルの該外壁の該突出部分が該カプセルホールダの窪み部内に延在している、請求項３に従属する限りでの請求項４または５に記載のシステム。
【請求項７】
該作動部材は該カプセルの対称軸上に位置付けられている、請求項１〜６のいずれか１項に記載のシステム。
【請求項８】
該カプセルが該カプセルホールダ内にあるとき、該スイッチング部材は該カプセルの対称軸と同軸的に位置付けられている、請求項７に記載のシステム。
【請求項９】
該カプセルが該カプセルホールダ内にあるとき、該スイッチング部材の少なくとも部分は、該作動部材と同軸的に位置付けられている、請求項１〜８のいずれか１項に記載のシステム。
【請求項１０】
該作動部材は該カプセルの突起部である、請求項１〜９のいずれか１項に記載のシステム。
【請求項１１】
該突起部は該カプセルの第２窪み部内に備えられ、該突起部は該コップ状本体の外側輪郭内に実質的に存在している、請求項１０に記載のシステム。
【請求項１２】
該スイッチング部材の位置を検出するための光検出手段を備えている、請求項１〜１１のいずれか１項に記載のシステム。
【請求項１３】
該スイッチング部材の位置を検出するための磁気検出手段を備えている、請求項１〜１２のいずれか１項に記載のシステム。
【請求項１４】
該作動部材の位置を検出するための光検出手段を備えている、請求項１〜１３のいずれか１項に記載のシステム。
【請求項１５】
該作動部材の位置を検出するための磁気検出手段を備えている、請求項１〜１４のいずれか1項に記載のシステム。
【請求項１６】
該流れ制御ユニットは、該流体の流量及び／又は圧力を制御するための弁を備えている、請求項１〜１５のいずれか１項に記載のシステム。
【請求項１７】
該弁は、第１モードにおいて該弁は閉位置にあるが漏洩を許容し、かつ第２モードにおいて該弁は開位置にあるような漏洩弁として設計されている、請求項１６に記載のシステム。
【請求項１８】
該弁は、該カプセルの該作動部材によって機械的に作動される、請求項１６または１７に記載のシステム。
【請求項１９】
該弁は、該スイッチング部材によって起動されるところの、電子式、電気式、磁気式、空気圧式及び／又は油圧式アクチュエーターによって作動させられる、請求項１６または１７に記載のシステム。
【請求項２０】
該流れ制御ユニットは、該カプセルへ供給される該流体の流量及び／又は圧力を制御するために該流体供給ユニットに指示するように配設されている、請求項1〜１９のいずれか１項に記載のシステム。
【請求項２１】
該流れ制御ユニットは、更に第３モードにおいて操作されるように配設されている、ここで、該第３モードにおいては、該パラメータは該第１レベルおよび該第２レベルとは別の第３レベルへ調節される、請求項１〜２０のいずれか１項に記載のシステム。
【請求項２２】
請求項１〜２１のいずれか１項に記載のシステムの飲料調製装置。
【請求項２３】
飲料調製装置において摂取可能な飲料を調製するためのカプセルであって、
好ましくは実質的に剛性のコップ状本体、
該本体を閉じるための蓋、および
該飲料調製装置のスイッチング部材と係合するように配設された作動部材
を備え、
該作動部材は、該カプセルの突起部であり、
該突起部は該カプセルの窪み部内に包含されており、該突起部はコップ状の本体の外側輪郭内に実質的に存在する、
上記カプセル。
【請求項２４】
該窪み部は、該蓋と反対方向の該コップ状の本体内に位置付けられている、請求項２３に記載のカプセル。
【請求項２５】
該作動部材は、該蓋と反対方向の該コップ状の本体に位置付けられている、請求項２３〜２４のいずれか１項に記載のカプセル。
【請求項２６】
該作動部材は、該カプセルの対称軸上に位置付けられている、請求項２３〜２５のいずれか１項に記載のカプセル。
【請求項２７】
該作動部材および該コップ状の本体は、一体的部分を形成している、請求項２３〜２６のいずれか１項に記載のカプセル。
【請求項２８】
該作動部材は、光遮蔽ユニットの光経路を選択的に遮蔽しまたは自由にする羽根として配設されている、請求項２３〜２７のいずれか１項に記載のカプセル。
【請求項２９】
該作動部材は、磁気指示器、たとえば磁石及び／又は磁化可能部分を備えている、請求項２３〜２８のいずれか１項に記載のカプセル。
【請求項３０】
飲料調製装置内に第１の摂取可能飲料を調製するための第１カプセルと第２の摂取可能飲料を調製するための第２カプセルとを備えているキットであって、各カプセルは、
好ましくは実質的に剛性のコップ状本体、
該本体を閉じるための蓋、
飲料成分の或る量
を備え、
該第１カプセルは、該飲料調製装置のスイッチング部材に係合するように配設された作動部材を備えておらず、かつ
該第２カプセルは、該飲料調製装置のスイッチング部材に係合するように配設された作動部材を備え、
該第２カプセルは、請求項２３〜２９のいずれか１項に記載のカプセルである、
上記キット。
【請求項３１】
飲料調製装置内に第１の摂取可能飲料を調製するための第１カプセルと第２の摂取可能飲料を調製するための第２カプセルとを備えているキットであって、各カプセルは、
好ましくは実質的に剛性のコップ状本体、
該本体を閉じるための蓋、
飲料成分の或る量
を備え、
該第１カプセルは、該飲料調製装置のスイッチング部材に係合するように配設された第１作動部材を備え、かつ
該第２カプセルは、該飲料調製装置のスイッチング部材に係合するように配設された、該第１作動部材とは別の第２作動部材を備え、
該第１カプセルは、請求項２２に記載の飲料調製装置の該流れ制御ユニットを該第１モードにおいて作動させるように配設され、かつ該第２カプセルは、前記飲料調製装置の該流れ制御ユニットを該第２モードにおいて作動させるように配設されている、
上記キット。
【請求項３２】
該第１作動部材の寸法は、該第２作動部材の寸法と異なっている、請求項３１に記載のキット。
【請求項３３】
該第１作動部材は該第１カプセルの第１突起部であり、かつ該第２作動部材は該第２カプセルの第２突起部であり、該第２突起部は該第１突起部よりも背が高い、請求項３１〜３２のいずれか１項に記載のキット。
【請求項３４】
該第１カプセルは、請求項２３〜２９のいずれか１項に記載のカプセルであり、かつ該第２カプセルは、請求項２３〜２９のいずれか１項に記載のカプセルである、請求項３１〜３３のいずれか１項に記載のキット。
【請求項３５】
該第１カプセルは第１飲料成分を備え、かつ該第２カプセルは第２飲料成分を備え、該第１飲料成分は該第２飲料成分とは異なっている、請求項３１〜３４のいずれか１項に記載のキット。
【請求項３６】
飲料を調製するための、請求項２２に記載の飲料調製装置におけるカプセルの使用方法。